【手続補正書】
【提出日】平成21年1月21日(2009.1.21)
【手続補正１】
【補正対象書類名】特許請求の範囲
【補正対象項目名】全文
【補正方法】変更
【補正の内容】
【特許請求の範囲】
【請求項１】
それぞれ第１の縁部および第２の縁部によって境界が形成された第１の面部を有し、物品を収容可能な第１および第２のパックと、これら第１および第２パックに取り付け可能な第１および第２のストラップを含む第１および第２パックを接続する手段とを含むパッケージであって、パックが第１のポジションにあるとき、第１および第２パックの第１面部は互いに対面し、第１および第２パックの第１縁部は互いに隣接し、且つ、第１および第２パックの第２縁部は互いに隣接し、第１および第２ストラップは第１面部を横断して延び、且つ、第１および第２縁部を中心にヒンジ式に取り付けられ、第１ストラップは第１パックの第１縁部を中心にヒンジ式に取り付けられ、且つ、第２パックの第２縁部を中心にヒンジ式に取り付けられ、第２ストラップは第１パックの第２縁部を中心にヒンジ式に取り付けられ、且つ、第２パックの第１縁部を中心にヒンジ式に取り付けられ、これによって、第１および第２パックは、少なくとも第１ポジションと、第２パックが第１パックに対して第１縁部を中心に回転する第２ポジションと、第２パックが第１パックに対して第２縁部を中心に回転する第３ポジションとの間において、一方がもう一方に対して移動可能であることを特徴とするパッケージ。
【請求項２】
第１および第２縁部が互いに平行であることを特徴とする請求項１に記載のパッケージ。
【請求項３】
それぞれのパックの第１縁部および第２縁部が互いにそれぞれ第１の側面部および第２の側面部に隣接し、これらの側面部が第１面部および底部と共同で商品の収容が可能な容器を形成していることを特徴とする請求項１または２に記載のパッケージ。
【請求項４】
それぞれのパックの底部が三角形状であることを特徴とする請求項１、２または３に記載のパッケージ。
【請求項５】
第１ストラップが第１パックの第１縁部に隣接する第１側面部に固定され、且つ第２パックの第２縁部に隣接する第２側面部に固定され、第２ストラップが第２パックの第１縁部に隣接する第１側面部に固定され、且つ第１パックの第２縁部に隣接する第２側面部に固定されることを特徴とする請求項４に記載のパッケージ。
【請求項６】
第１および第２側面部のそれぞれが互いに隣接することで同時に第３縁部を設け、第１ポジションにあるとき、第１ストラップは第１パックの第２側面部に固定され、第３縁部を囲むように、且つ、第１パックの第１側面部を横断し、第１パックの第１縁部を囲むように、且つ、両方のパックの第１面部を横断し、第２パックの第２縁部を囲むように延びて、第２パックの第２側面部に固定され、第２ストラップは第２パックの第２側面部に固定され、第２パックの第３縁部を囲むように、第２パックの第１側面部を横断し、第２パックの第１縁部を囲むように、第１および第２パック両方の第１面部を横断し、且つ、第１パックの第２縁部を囲むように延びて、第１パックの第２側面部に固定され；これによって、第１ストラップが第２パックの第１縁部ならびに第１パックの第１縁部および第３縁部を中心にヒンジ式に取り付けられ、且つ、第２ストラップが第１パックの第２縁部ならびに第２パックの第１および第３縁部を中心にヒンジ式に取り付けられ；第１および第２パックは互いに対して、第１ポジションから、第２パックが第１パックに対して第２縁部を中心に回転するポジションならびに第１パックが第２パックに対して第１縁部および第３縁部を中心に回転するポジションまで、移動可能であることを特徴とする請求項４または５に記載のパッケージ。
【請求項７】
それぞれのパックの底部が四辺形であることを特徴とする請求項１、２または３に記載のパッケージ。
【請求項８】
第１ストラップが、第１パックの第１縁部に隣接する第１側面部に固定され、且つ、第２パックの第２縁部に隣接する第２側面部に固定され；第２ストラップが第２パックの第１縁部に隣接する第１側面部に固定され、且つ第１パックの第２縁部に隣接する第２側面部に固定されることを特徴とする請求項７に記載のパッケージ。
【請求項９】
第１および第２側面部のそれぞれによって第１および第２縁部に平行な縁部が設けられ、これによって第３および第４の縁部が設けられ、第３および第４縁部はそれぞれのパックの第１面部と対面する第２面部の境界を定め、第１および第２面部ならびに第１および第２側面部は、底部と共同で物品を収容し、第１ポジションにあるとき、第１ストラップは両方のパックの第１面部および第２パックの第２縁部に隣接する第２側面部を横断して延び、第２パックの第２面部に固定され、且つ、第１パックの第１縁部に隣接する第１側面部に固定され、第２ストラップは第１および第２パック両方の第１面部および第１パックの第２縁部に隣接する第２側面部を横断して延び、第１パックの第２面部および第２パックの第１縁部に隣接する第１側面部に固定され、これによって、第１ストラップが第１パックの第１縁部ならびに第２パックの第２および第４縁部を中心にヒンジ式に取り付けられ、且つ、第２ストラップが第２パックの第１縁部ならびに第１パックの第２および第４縁部を中心にヒンジ式に取り付けられ、第１および第２パックは互いに対して第１ポジションから、第２パックが第１パックに対して第３縁部を中心に回転するポジションおよび第１パックが第２パックに対して第４縁部を中心に回転するポジションまで、移動可能であることを特徴とする請求項７に記載のパッケージ。
【請求項１０】
第１および第２側面部それぞれによって第１および第２縁部に平行な縁部が設けられ、これによって第３および第４縁部が設けられ、第３および第４縁部はそれぞれのパックの第１面部と対面する第２面部の境界を定め、第１および第２面部および第１および第２側面部は底部と共同で物品を収容し、第１ポジションにあるとき、第１ストラップは第１パックの第２面部に固定され、第１パックの第３縁部を囲むように延び、両方のパックの第１面部を横断し、第２パックの第２縁部を囲むように、第２パックの第２側面部を横断し、第２パックの第４縁部を囲むように延び、且つ、第２パックの第２面部に固定され、第２ストラップは、第２パックの第２面部に固定され、第２パックの第３縁部を囲むように、第２パックの第１側面部を横断し、第１および第２パック両方の第１面部を横断し、第１パックの第２縁部を囲むように、第１パックの第２側面部を横断し、第１パックの第４縁部を囲むように延び、且つ第１パックの第２面部に固定され、これによって第１ストラップは第１パックの第１および第３縁部ならびに第２パックの第２および第４縁部を中心にヒンジ式に取り付けられ、且つ第２ストラップは第２パックの第１および第３縁部ならびに第１パックの第２および第４縁部を中心にヒンジ式に取り付けられ、これによってパックが、第１および第２パックが互いに対して第１および第３縁部を中心に回転するポジションまたは第１および第２パックが互いに対して第２および第４縁部を中心に回転するポジションまで、移動可能であることを特徴とする請求項７に記載のパッケージ。
【請求項１１】
第１および第２ストラップは、第１ポジションでは、第１および第２パックを接合する単一の部材からなる一体の部品であり、この単一の部材が第１および第２ストラップとなるように切り離しが可能であることを特徴とする請求項１から１０のいずれか１項に記載のパッケージ。
【請求項１２】
第１および第２ストラップが、第１および第２パックの第１面部に対応する領域において、単一の部材の弱め線に沿って切り離し可能であることを特徴とする請求項１１に記載のパッケージ。
【請求項１３】
第１面部の領域の外側に位置する第１および第２ストラップの部分が互いに切り離されることを特徴とする請求項１１または１２に記載のパッケージ。
【請求項１４】
単一の部材が紙製、プラスチック製または厚紙製であることを特徴とする請求項１１、１２または１３に記載のパッケージ。
【請求項１５】
単一の部材が第１および第２パックに固定されていることを特徴とする請求項１１から１４のいずれか１項に記載のパッケージ。
【請求項１６】
ストラップがそれぞれの端部で支持体に固定され、第１および第２パックの第２面部に位置するそれぞれの端部で、この第１および第２パックが支持体とストラップとの間に保持されることを特徴とする請求項１１から１５のいずれか１項に記載のパッケージ。
【請求項１７】
ストラップおよび支持体が紙製、プラスチック製または厚紙製であることを特徴とする請求項１６に記載のパッケージ。
【請求項１８】
第１および第２パックのそれぞれが、互いに独立して第１および第２パックをそれぞれ閉鎖する蓋部を有することを特徴とする請求項１から１７のいずれか１項に記載のパッケージ。
【請求項１９】
第１および第２パックがそれぞれ保護包装材に包装され、且つストラップがこの保護包装材と接続していることを特徴とする請求項１８に記載のパッケージ。
【請求項２０】
ストラップが第１および第２パックの周囲に配置されて、組み合わされたパッケージを形成し、この組み合わされたパッケージが保護包装材で包装されていることを特徴とする請求項１８に記載のパッケージ。
【請求項２１】
この保護包装材がプラスチック製であることを特徴とする請求項１９または２０に記載のパッケージ。
【請求項２２】
ストラップおよび支持体が厚紙製であることを特徴とする請求項１６から２１のいずれか１項に記載のパッケージ。
【請求項２３】
蓋部それぞれがフラップを有し、蓋部が閉鎖位置にあるとき、このフラップは第１および第２パックの第１面部の一部分を形成し、パックが第２ポジションに配置されたとき、第１ストラップは一方のパックの上方でフラップに重なり、パックが第３ポジションに配置されたとき、第１ストラップはもう一方のパックのフラップに重なることを特徴とする請求項１８から２２のいずれか１項に記載のパッケージ。
【請求項２４】
さらにパックが、第１ポジションに配置されたとき両方のパックを閉鎖する単一の蓋部を含み、この蓋部が第１または第２パックのいずれか一方にヒンジ式に取り付けられていることを特徴とする請求項１から１７のいずれか１項に記載のパッケージ。
【請求項２５】
第１および第２パックが喫煙品を収容することを特徴とする請求項１から２４のいずれか１項に記載のパッケージ。
【請求項２６】
単一のシート材料からなり、この材料が少なくとも第１ストラップを供する第１の領域と、第２ストラップを供する第２の領域とを有し、これらの領域が第１領域を第２領域から切り離し可能な線と隣接し、この線が第１と、第２と、第３セクションとを有し、この第２セクションが脆弱化されたセクションで第１および第２領域を切り離せるようになっており、第１および第３セクションは第２セクションのそれぞれの端部からシートの縁部まで延びる切り離された部分であることを特徴とするブランク。
【請求項２７】
前記ブランクがプラスチック製、紙製または厚紙製であることを特徴とする請求項２６に記載のブランク。
【請求項２８】
前記ブランクが主要縁部と、非主要縁部とを有する長方形であり、切り離し可能な脆弱化されたセクションおよび切り離されている部分が主要縁部と平行であることを特徴とする請求項２６または２７に記載のブランク。
【請求項２９】
前記ブランクが主要縁部と、非主要縁部とを有する長方形であり、切り離し可能な脆弱化されたセクションおよび切り離されている部分が非主要縁部と平行であることを特徴とする請求項２６または２７に記載のブランク。
【請求項３０】
請求項１から２５のいずれか１項に記載のパッケージを形成するためのブランクであって、該ブランクは、単一のシート材料からなり、この材料が第１ストラップによって部分的に形成され、かつ、互いに離れて位置する主要縁部を有する長尺の開口部が設けられた長尺の第１セクションと、第２のストラップを形成し、前記開口部に位置合わせされ、第１セクションの非主要縁部から延びる第２セクションとを有し、この第２セクションは、前記開口部の幅の下限とほぼ同じまたはそれ未満を上限とする幅と、開口部より長い長さとを有し、この第２セクションの固定されていない非主要縁部が開口部を通過して第１セクションの固定されていない非主要縁部に取り付けられるようになっていることを特徴とするブランク。
【請求項３１】
長尺の開口部、第１セクションおよび第２セクションの形状が四辺形であることを特徴とする請求項３０に記載のブランク。
【請求項３２】
ブランクがプラスチック製、紙製または厚紙製であることを特徴とする請求項３０または３１に記載のブランク。
【請求項３３】
それぞれが開口部を有する２つのセクションをさらに含み、この２つのセクションが第１セクションの１つの主要縁部の部分から延び、この部分が長尺の開口部の両側に配設されていることを特徴とする請求項３０、３１または３２に記載のブランク。
【請求項３４】
第１パックを供する１つ以上の第１のブランクと、第２パックを供する１つ以上の第２のブランクの組み合わせであって、第１または第２のブランクのいずれかが両方のパックを閉鎖可能なヒンジ式蓋部を形成するセクションと、第１および第２パックを板返し構成で接合するための少なくとも２本のストラップを供するブランクとを含むことを特徴とする組み合わせ。
【請求項３５】
第１パックを設ける１つ以上の第１ブランクと、第２パックを設ける１つ以上の第２ブランクの組み合わせであって、第１および第２ブランクの両方がそれぞれのパックを閉鎖可能なヒンジ式蓋部を形成するセクションと、第１および第２パックを板返し構成で接合するための少なくとも２本のストラップを供するブランクとを含むことを特徴とする組み合わせ。
【請求項３６】
第１ブランクのうちの１つと第２ブランクのうちの１つが、開封線を介して一体に接合していることを特徴とする請求項３４または３５に記載の組み合わせ。
【請求項３７】
それぞれが喫煙品を収容する２つのパックを含み、これらのパックが板返し構成で共に接合していることを特徴とするパッケージ。
【請求項３８】
板返し構成で共に接合しているパックがプラスチック製の外装材に包装されていることを特徴とする請求項３７に記載のパッケージ。
【請求項３９】
パックがそれぞれ個別にプラスチック製の包装紙に包装され、この包装されたパックが板返し構成で共に接合していることを特徴とする請求項３７に記載のパッケージ。
【請求項４０】
それぞれのパックがヒンジ式蓋部を含み、この蓋部がそれぞれのパックを独立して閉鎖することを特徴とする請求項３７から３９に記載のパッケージ。
【請求項４１】
前記２つのパックが１つのヒンジ式蓋部を共有していることを特徴とする請求項３７から３９に記載のパッケージ。
【請求項４２】
前記ヒンジ式蓋部が２つのパックのいずれか１つに取り付けられていることを特徴とする請求項４１に記載のパッケージ。
【請求項４３】
第１および第２パックを設ける工程と、少なくとも第１および第２ストラップを第１と第２のパックの間に配置する工程と、このパックが板返し構成で接合するようにストラップをパックに固定する工程とを含むことを特徴とするパッケージの製造方法。
【請求項４４】
第１および第２ストラップが第１パックの上方に配置され、次に第２パックが第１および第２ストラップの上方に配置され、これらのストラップが第１と第２のパックの間に挟まれるようにすることを特徴とする請求項４３に記載の方法。
【請求項４５】
前記固定の工程が、第２パックを配置する前に、第１および第２ストラップのうち少なくとも１本を第１パックに固定すること含むことを特徴とする請求項４３または４４に記載の方法。
【請求項４６】
前記第１および第２ストラップが単一ブランクの一体になっている部分であることを特徴とする請求項４３、４４または４５に記載の方法。
【請求項４７】
両方のパックを閉鎖するヒンジ式蓋部を設ける工程をさらに含むことを特徴とする請求項４３から４６いずれか１項に記載の方法。